(57)【要約】【課題】利用者の身長に応じて長さを変えることができるようにしたベッド装置を提供すること。【解決手段】ベッドフレームと床板体２５とを備えたベッド装置であって、ベッドフレームは、本体フレーム部と、本体フレーム部の長手方向の端部に本体フレーム部の長手方向に沿って移動可能かつ所定の移動位置で本体フレーム部に固定されてベッドフレームの長さを変更する調整フレーム部とによって構成され、床板体は、本体フレーム部に固定されて設けられる固定床部２６と、固定床部に連結されて設けられ調整フレーム部によって変更されたベッドフレームの長さに応じてベッドフレームの長手方向に沿って移動させて所定の移動位置で移動不能に固定される長さ調整床部２８，２９によって構成されている。【選択図】  図６
2020065634.tif 000002
【特許請求の範囲】
【請求項１】
ベッドフレームと、このベッドフレームの上面に設けられる床板体とを備えたベッド装置であって、
前記ベッドフレームは、本体フレーム部と、この本体フレーム部の長手方向の端部に前記本体フレーム部の長手方向に沿って移動可能かつ所定の移動位置で前記本体フレーム部に固定されて前記ベッドフレームの長さを変更する調整フレーム部とによって構成され、
前記床板体は、前記本体フレーム部に固定されて設けられる固定床部と、この固定床部に連結されて設けられ前記調整フレーム部によって変更された前記ベッドフレームの長さに応じて前記ベッドフレームの長手方向に沿って移動させて所定の移動位置で移動不能に固定される長さ調整床部とによって構成されていることを特徴とするベッド装置。
【請求項２】
前記ベッドフレームと前記床板体は、同じ間隔で段階的に長さ調整可能に構成されていることを特徴とする請求項１記載のベッド装置。
【請求項３】
前記本体フレーム部は、一対の第１の端辺部及び一対の第１の側辺部によって矩形枠状に形成され、
前記調整フレーム部は、１つの第２の端辺部及びこの第２の端辺部の両端に連結された一対の第２の側辺部によって前記本体フレーム部よりも長さ寸法が短く形成されていて、
前記調整フレーム部は、一対の前記第２の側辺部を前記本体フレーム部の一対の前記第１の側辺部に移動可能に支持させて前記本体フレーム部の長手方向の一端部と他端部に設けられ、所定の移動位置で前記本体フレーム部に第１の位置決め手段によって移動不能に固定される構成であることを特徴とする請求項１記載のベッド装置。
【請求項４】
前記調整フレーム部の前記第２の短辺部にはボード体が立位状態で設けられることを特徴とする請求項３記載のベッド装置。
【請求項５】
前記床板体の前記長さ調整床部は、上面に載置段部が形成された支持床部と、この支持床部の前記載置段部に前記床板体の長手方向に沿って移動可能に載置される可動床部と、
前記可動床部を前記支持床部の所定の移動位置で移動不能に固定する第２の位置決め手段と
によって構成されていることを特徴とする請求項１記載のベッド装置。
【請求項６】
前記ベッドフレームの前記調整フレーム部は、前記本体フレーム部の長手方向一端部と他端部とに設けられ、
前記床板体の前記長さ調整床部は、前記ベッドフレームの長手方向に沿う前記固定床部の一端側と他端側とに設けられていることを特徴とする請求項１記載のベッド装置。
【請求項７】
ベッドフレームと、このベッドフレームの上面に設けられる床板体とを備えたベッド装置であって、
前記ベッドフレームは、本体フレーム部と、この本体フレーム部の長手方向の端部に前記本体フレーム部の長手方向に沿って移動可能かつ所定の移動位置で前記本体フレーム部に固定されて前記ベッドフレームの長さを変更する調整フレーム部とによって構成されていることを特徴とするベッド装置。
【請求項８】
ベッドフレームと、このベッドフレームの上面に設けられる床板体とを備えたベッド装置であって、
前記床板体は、前記ベッドフレームに固定されて設けられる固定床部と、この固定床部に連結されて設けられ前記ベッドフレームの長手方向に沿って移動させて所定の移動位置で移動不能に固定される長さ調整床部とによって構成されていることを特徴とするベッド装置。
【請求項９】
前記長さ調整床部は、上面に載置段部が形成された支持床部と、この支持床部の前記載置段部に前記床板体の長手方向に沿って移動可能に載置される可動床部と、
前記可動床部を前記支持床部の所定の移動位置で移動不能に固定する位置決め手段と
によって構成されていることを特徴とする請求項８記載のベッド装置。
【請求項１０】
前記長さ調整床部は、前記床板体の長手方向の一端部と他端部のうちの少なくとも一方に設けられ、
前記可動床部には、少なくとも２枚の床板が屈曲可能に連結された屈曲部が設けられていることを特徴とする請求項９記載のベッド装置。
【発明の詳細な説明】
【技術分野】
【０００１】
この発明は利用者の身長に応じて長さを変更することができるベッド装置に関する。
【背景技術】
【０００２】
たとえば、介護用のベッド装置は、利用者が販売店から購入して使用したり、比較的高価であるためにレンタル店から必要に応じて借りて使用するということが行われている。いずれの場合であっても、ベッド装置の長さ寸法が利用者の身長に適応していない場合には快適に利用することができないということがある。
【０００３】
たとえば、利用者の身長に対してベッド装置の長さ寸法が短いときには身体を十分に伸ばして楽な寝姿勢を維持することができないということがある。また、逆にベッド装置が利用者の身長に対して長過ぎるときには、その長さによって室内空間を無駄に占有するということがある。
【０００４】
しかも、ベッド装置が背上げ式の介護用ベッド装置の場合、ベッド装置が利用者の身長に対して短過ぎても、長過ぎても身体の腰や背などの位置から起伏駆動される床板部の位置がずれてしまい、利用者の身体を不要に圧迫してしまうなどのことがある。
【０００５】
したがって、ベッド装置を購入したり、借りて使用する場合、利用者は自分の身長に応じた長さのものを選択することが好ましいことになる。
【０００６】
従来、ベッド装置には特許文献１や特許文献２に示された構成のものが知られている。特許文献１に示された起伏式のベッド装置はベッドフレームと床板体を有し、前記床板体は背上げ機構によって起伏駆動される構成となっている。
【０００７】
しかしながら、前記ベッドフレームや床板体は利用者の身長に応じて長さを変更することができる構成になっていない。そのため、利用者の身長がベッド装置の、ベッドフレームや床板体の長さに適応しない場合、快適な状態で利用することができないということになる。
【０００８】
とくに、病院などにおいて、利用者が変更になり、異なる身長の利用者が利用するようになった場合、背上げ時などに利用者の身体を不要に圧迫したり、楽な寝姿勢が維持できないなどのことにより、快適な状態で利用できなくなるということがある。
【０００９】
特許文献２に示されたベッド装置は、床板体を支えるフレームの一部を異なった長さの交換装着用フレームに置き換え可能にすることが示されている。
【００１０】
そして、前記交換装着用フレーム（足側フレーム）を異なった長さに置き換え、フットボードと足側床板との間に隙間を存在させ、その隙間に延長マットレスを保持する保持枠を設けることができるようにする。それによって、ベッド装置を必要に応じて異なる長さにして使用できるようにしている。
【先行技術文献】
【特許文献】
【００１１】
【特許文献１】特許第３９１０８７３号公報
【特許文献２】特許第３０２４６９８号公報
【発明の概要】
【発明が解決しようとする課題】
【００１２】
特許文献１に示されたベッド装置は、上述したように異なる身長の利用者が利用する場合、利用者の身長の変化に応じてベッド装置の長さを変えることができない。そのため、快適な状態で利用することができないということがある。
【００１３】
つまり、ベッド装置は予め設計された長さでしか使用することができないため、その長さに利用者の身長が合わない場合、利用し難いということになる。
【００１４】
引用文献２に示されたベッド装置は、床板を支えるフレームの一部を異なった長さの交換装着用フレームに置き換え、フットボードと足側床板との間に隙間を存在させ、その隙間に保持枠を設け、そこに延長マットレスを保持することで、ベッド装置の長さを長くし、身長の大きい人にも利用できるようにしている。
【００１５】
しかしながら、このような構成によると、ベッド装置の長さを変更するためには、予め設計されたベッド装置の部品の他に、交換装着用フレームや保持枠などの部品を必要とする。そのため、必要な部品点数が増大するから、コスト上昇を招くということがある。
【００１６】
しかも、ベッド装置の長さを二段階ではなく、３段階或いはそれ以上に変更することができるようにするためには、それぞれの変更する長さ応じた交換装着用フレーム或いは保持枠を必要とするから、そのような場合にはさらに必要な部品点数が増大することになる。
【００１７】
さらに、ベッド装置は病院などで異なる身長の利用者が利用することがある。その場合、上述した交換装着用フレームや保持枠などの部品を必要としない身長の利用者が利用したり、上述した部品を必要とする身長の利用者が利用することもある。
【００１８】
利用者の身長が異なる場合、その利用者の身長に応じてベッド装置の長さを迅速に変更することが要求される。そのためには、ベッド装置の長さを変更するために必要な上述した種々の部品を予め用意しておかなければならないから、部品を保管したり、保管場所を確保しなければならない。そのため、コストアップや管理に手間が掛かるということがある。
【００１９】
この発明は、長さを変えるために、それ専用の部品を用意しておく必要がないばかりか、ベッド装置を二段階以上に変更するような場合であっても、とくに専用の部品を必要とせずに行うことを可能にしたベッド装置を提供することにある。
【課題を解決するための手段】
【００２０】
この発明は、ベッドフレームと、このベッドフレームの上面に設けられる床板体とを備えたベッド装置であって、
前記ベッドフレームは、本体フレーム部と、この本体フレーム部の長手方向の端部に前記本体フレーム部の長手方向に沿って移動可能かつ所定の移動位置で前記本体フレーム部に固定されて前記ベッドフレームの長さを変更する調整フレーム部とによって構成され、
前記床板体は、前記本体フレーム部に固定されて設けられる固定床部と、この固定床部に連結されて設けられ前記調整フレーム部によって変更された前記ベッドフレームの長さに応じて前記ベッドフレームの長手方向に沿って移動させて所定の移動位置で移動不能に固定される長さ調整床部とによって構成されていることを特徴とするベッド装置にある。
【発明の効果】
【００２１】
この発明によれば、ベッドフレームと床板体がともに移動可能かつ所定の移動位置で移動不能に固定して長さ調整できる構造であるから、専用の部品を必要とすることなく、ベッド装置の長さを利用者の身長に応じて調整することができる。  
【００２２】
つまり、ベッド装置の長さ変更を、容易かつ迅速に行うことが可能であるばかりか、利用者の身長に応じて二段階に限らず、それ以上であっても行うことができる。
【図面の簡単な説明】
【００２３】
【図１】この発明の一実施のベッド装置形態を示し、このベッド装置の床板体が背上げ状態に駆動された状態の斜視図。
【図２】前記ベッド装置の前記床板体が水平に倒伏した状態を示す斜視図。
【図３】ベッドフレームの長手方向一端部側の本体フレーム部と調整フレーム部を示す平面図。
【図４】前記本体フレーム部の側辺部と、この側辺部に第１の位置決め手段によって所定の移動位置で保持される調整フレーム部の側辺部を示す断面図。
【図５】第２の位置決め手段によって第１の支持床部と第２の支持床部にそれぞれ移動可能かつ所定の移動位置で固定される、屈曲可能に連結された一対の腰床部を示す断面図。
【図６】床板体を最も短い長さ寸法に設定した状態を示す側面図。
【図７】床板体を中間の長さ寸法に設定した状態を示す側面図。
【図８】床板体を最大の長さ寸法に設定した状態を示す側面図。
【図９】（ａ）〜（ｃ）はベッドフレームと床板体とをそれぞれ最小、中間及び最大の長さ寸法にそれぞれ変更した状態を説明するための図。
【発明を実施するための形態】
【００２４】
以下、この発明の実施の形態を図１乃至図９を参照しながら説明する。  
【００２５】
図１と図２はベッド装置の斜視図であって、このベッド装置は図２に示すベースフレーム１を備えている。このベースフレーム１は矩形状に形成されていて、その四隅部には設置用脚２が設けられている。なお、前記設置用脚２に代わってキャスターを設けるようにしてもよい。
【００２６】
図２に示すように、前記ベースフレーム１の四隅部の上面には上下駆動機構３を構成する連結杆４（三か所だけ図示）の一端が枢着され、他端はそれぞれ後述する矩形枠状に形成されたベッドフレーム５の四隅部に枢着されている。
【００２７】
４本の前記連結杆４は図示しない連動リンクを介して上下用駆動源６によって駆動される。すなわち、前記連結杆４は前記ベースフレーム１に枢着された一端を支点として水平の倒伏した状態から図１に示すように起立する方向に駆動される。  
【００２８】
それによって、前記ベッドフレーム５は図１に示す下降位置から図２に示す上昇位置に駆動されるようになっている。
【００２９】
図３は前記ベッドフレーム５の長手方向の一端側を示し、このベッドフレーム５は本体フレーム部１１を有する。この本体フレーム部１１は平行に離間対向して配置される一対の第１の側辺部１２と、これら第１の側辺部１２の長手方向の一端と他端とをそれぞれ連結した一対の第１の短辺部１３ときによって矩形枠状に形成されている。なお、前記第１の側辺部１２及び第１の短辺部１３は金属や樹脂などによって角筒状に形成された部材が用いられている。
【００３０】
前記本体フレーム部１１の長手方向の一端部と他端部にはそれぞれ調整フレーム部１５が図３に矢印Ｘで示すように前記本体フレーム部１１の長手方向に沿って移動可能に設けられている。
【００３１】
前記調整フレーム部１５は、前記第１の短辺部１３よりもわずかに長尺な第２の短辺部１６と、この第２の短辺部１６の長手方向両端に前記本体フレーム部１１の幅寸法よりもわずかに大きな間隔で一端が連結された一対の第２の側辺部１７とによってコ字状に形成されている。前記第２の短辺部１６と第２の側辺部１７も前記本体フレーム部１１と同様、角筒の部材によって形成されている。
【００３２】
一対の前記第２の側辺部１７は、前記本体フレーム部１１の一対の前記第１の側辺部１２の外側に位置している。前記第２の側辺部１７の他端部には前記本体フレーム部１１の前記第１の側辺部１２をスライド可能に保持する第１の保持部材１８が設けられ、前記第１の側辺部１２の端部には前記第２の側辺部１７をスライド可能に保持する第２の保持部材１９が設けられている。
【００３３】
それによって、前記本体フレーム部１１の長手方向の一端部側と他端部側とに設けられた一対の前記調整フレーム部１５は、矢印Ｘで示すように前記本体フレーム部１１の長手方向に沿って移動可能になっている。  
【００３４】
なお、前記調整フレーム部１５の前記第２の短辺部１６にはヘッドボード及びフットボードとなるボード体２１が下端部を連結して立位状態で設けられている。さらに、前記一対の前記調整フレーム部１５に設けられたそれぞれ一対の前記第２の側辺部１７には、図１と図２に示すように側柵用支持部材２１１（前記ベッドフレーム５の幅方向一側側のみ図示）が取付けられている。この側柵用支持部材２１１によって、前記ベッドフレーム５の長手方向一端部と他端部との側部に、必要に応じて図示しない側柵が着脱可能に取付けられるようになっている。
【００３５】
図４に示すように、前記調整フレーム部１５は前記本体フレーム部１１の前記第１の側辺部１２に対して第１の位置決め手段２０によって所定の移動位置で段階的に位置決め固定できるようになっている。
【００３６】
前記第１の位置決め手段２０は、前記調整フレーム部１５の前記第２の側辺部１７の長さ方向に対して所定ピッチＰ１、たとえば７０ｍｍの間隔で、しかも幅方向に貫通して穿設された複数、この実施の形態では３つの位置決め孔１７ａ〜１７ｃを有する。
【００３７】
前記第１の側辺部１２には幅方向に貫通して穿設された１つの通孔２３が穿設されている。この通孔２３にはねじ２２が挿通されている。このねじ２２は３つの前記位置決め孔１７ａ〜１７ｃのうちの１つ、図４では中間の位置決め孔１７ｂに通され、その位置決め孔１７ｂから突出した前記ねじ２２の先端部にはナット２４が螺合される。
【００３８】
したがって、前記ねじ２２を３つの前記位置決め孔１７ａ〜１７ｃのどれに通して前記調整フレーム部１５を前記本体フレーム部１１に固定するかによって、前記ベッドフレーム５の全長を、この実施の形態では３段階に設定することができるようになっている。
【００３９】
つまり、前記調整フレーム部１５を前記本体フレーム部１１に対して図４に矢印＋Ｘ方向に移動させ、前記ねじ２２を位置決め孔１７ｃに通して前記調整フレーム部１５を固定すれば、前記ベッドフレーム５を図４の状態から、前記位置決め孔１７ｂと１７ｃとのピッチＰ１分だけ長くすることができる。
【００４０】
同様に、前記調整フレーム部１５を前記本体フレーム部１１に対して図４に矢印で示す−Ｘ方向に移動させ、前記ねじ２２を位置決め孔１７ａに通して前記調整フレーム部１５を固定すれば、前記ベッドフレーム５を図４の状態から、前記位置決め孔１７ｂと１７ａとのピッチＰ１分だけ短くすることができる。
【００４１】
このように、前記ベッドフレーム５は、前記調整フレーム部１５を移動させて前記ねじ２２を前記通孔２３から３つの位置決め孔１７ａ，１７ｂ，１７ｃのいずれに通すかによって、前記ベッドフレーム５の長さをピッチＰ１の長さで３段階に設定することができる。
【００４２】
前記調整フレーム部１５は、前記ベッドフレーム５の長手方向の一端部と他端部に設けられている。そのため、一対の前記調整フレーム部１５の前記第２の側辺部１７の位置決め調整を行うことで、前記ベッドフレーム５は前記ピッチＰ１の２倍の長さで長さ調整されることになる。
【００４３】
なお、前記位置決め孔の数を４つ以上としたり、ピッチＰ１を変えれば、それに応じて前記前記ベッドフレーム５の長さ調整できる段階の数や長さを変えることができる。
【００４４】
図１と図２に示すように、前記ベッドフレーム５の上面には床板体２５が設けられる。この床板体２５の上面には利用者が仰臥するマットレス（ともに図示せず）載置される。
【００４５】
前記床板体２５は、２つに分割され前記ベッドフレーム５の前記本体フレーム部１１の長手方向の中途部に取付け固定される固定床部２６を有する。
【００４６】
前記固定床部２６はたとえば樹脂によって発泡成形されていて、一方の前記固定床部２６側には第１の長さ調整床部２８が設けられ、他方の前記固定床部２６側には第２の長さ調整床部２９が設けられている。図５に示すように、前記固定床部２６には、発泡成形時に前記固定床部２６を前記床板体２５に図示しないねじを用いて取付けるための取付け孔２７が形成されている。
【００４７】
前記第１の長さ調整床部２８は、前記床板体２５上に仰臥する利用者の腰部から背部、頭部の上半身側に位置することになり、前記第２の長さ調整床部２９は利用者の臀部から脚部の下半身側に位置することになる。
【００４８】
図６乃至図８に示すように、前記第１、第２の長さ調整床部２８，２９は、それぞれ一方の前記固定床部２６と一体的に発泡成形された第１の支持床部３２を有する。前記固定床部２６と前記第１の支持床部３２は可撓性の第１の薄肉部３１によって回動可能に連結されている。
【００４９】
前記第１の支持床部３２の上面には載置段部３３が形成されている。この載置段部３３の前記固定床部２６側の一側上面には、前記第１の支持床部３２の幅方向の全長にわたって突条３３ａが突設されている。
【００５０】
前記第１の長さ調整床部２８の前記載置段部３３には可動床部としての第１の腰床部３４の一端部が図７に矢印で示す前記床板体２５の長手方向に沿って移動可能に載置されている。前記第１の腰床部３４の他端には第２の薄肉部３５によって可動床部としての第２の腰床部３６の一端が回動可能に連結されている。
【００５１】
前記第１、第２の腰床部３４，３６は前記固定床部２６と前記載置段部３３の成形と同様、前記第２の薄肉部３５とともに一体的に発泡成形され、前記第２の薄肉部３５の箇所で屈曲する屈曲部を形成している。
【００５２】
前記第２の腰床部３６は、第２の支持床部３７の上面に形成された載置段部３８に図７に矢印で示す、前記床板体２５の長手方向に沿って移動可能に載置されている。前記第２の支持床部３７の他端の幅方向中央部には図１に示す連結部４１が突設されている。この連結部４１には背床部４２の下端が回動可能、前後方向に回動可能に連結されている。
【００５３】
前記背床部４２は、図１に示すように前記連結部４１に下端が回動可能に連結された中央背部４３、この中央背部４３の両側に前方向にだけ回動するよう連結された一対の側部背部４４を有する。
【００５４】
前記中央背部４３は下端を支点として前方へ回動可能になっており、前記側部背部４４は前記中央背部４３に連結された一側を支点として前方へ回動可能になっている。そして、前記中央背部４３と前記側部背部４４は図示しない駆動機構によって駆動されるようになっている。
【００５５】
前記第２の支持床部３７の背面の幅方向中途部には、角筒状の一対の支持部材４５（一方のみ図６乃至図８に示す。）の一端部が固定されている。これら支持部材４５の他端部は前記中央背部４３の背面側に延出され、その背面を支えるようになっている。それによって、前記支持部材４５は前記中央背部４３の前面に利用者の荷重が加わっても、前記中央背部４３が下端を支点として背面側に回動するのを阻止するようになっている。
【００５６】
なお、前記支持部材４５は、前記第１の支持床部３２に対する前記第１の腰床部３４の移動と、前記第２の支持床部３７に対する前記第２の腰床部３６の図７に矢印で示す方向への移動を妨げることがないようになっている。
【００５７】
前記第２の長さ調整床部２９の前記第１の支持床部３２の前記載置段部３３には、前記第１、第２の腰床部３４，３６と同様、第３の薄肉部４６を介して回動可能に一体的に発泡成形された可動床部としての第１の脚床部４７と可動床部としての第２の脚床部４８のうちの、前記第１の脚床部４７が図７に矢印で示す方向にスライド可能に載置されている。
【００５８】
前記第１の脚床部４７と前記第２の脚床部４８は、前記第３の薄肉部４６によって屈曲可能な屈曲部を形成している。  
【００５９】
前記第２の脚床部４８は、第３の脚床部４９の一端部側に形成された載置段部５１に、図７に矢印で示す前記床板体２５の長手方向に沿って移動可能に載置されている。
【００６０】
前記第１の長さ調整床部２８は、前記第１の腰床部３４と第２の腰床部３６が前記第１の支持床部３２と前記第２の支持床部３７との前記載置段部３３，３８に沿って移動することで、前記床板体２５の長手方向一端部側の長さを変えることができるようになっている。
【００６１】
前記第２の長さ調整床部２９は、前記第１の脚床部４７と第２の脚床部４８が前記第１の支持床部３２と前記第３の脚床部４９に設けられた前記載置段部３３，５１に沿って移動することで、前記床板体２５の長手方向他端部側の長さを変えることができるようになっている。
【００６２】
前記第１の腰床部３４と第２の腰床部３６及び前記第１の支持床部３２と前記第２の支持床部３７によって構成された前記第１の長さ調整床部２８と、前記第１の脚床部４７と第２の脚床部４８及び前記第１の支持床部３２と前記第３の脚床部４９によって構成された前記第２の長さ調整床部２９は、図５に示す第２の位置決め手段５２によってそれぞれ段階的に長さを変えることができるようになっている。
【００６３】
図５は前記第１の長さ調整床部２８の前記第１の腰床部３４と前記第２の腰床部３６にそれぞれ設けられた前記第２の位置決め手段５２を示す。
【００６４】
前記第２の位置決め手段５２は、前記第１の支持床部３２と前記第２の支持床部３７との各載置段部３３，３８に、厚さ方向に貫通して形成された複数、この実施の形態では第１乃至第３の３つの位置決め孔５２ａ〜５２ｃを有する。これら位置決め孔５２ａ〜５２ｃは前記床板体２５の長手方向に沿って所定のＰ２、たとえば３５ｍｍ間隔で穿設されている。
【００６５】
つまり、前記第２の位置決め手段５２の位置決め孔５２ａ〜５２ｃのピッチＰ２は、前記第１の位置決め手段２０の前記位置決め孔１７ａ〜１７ｃのＰ１（７０ｍｍ）の半分の長さに設定されている。
【００６６】
前記第１の支持床部３２に載置される前記第１の腰床部３４と、前記第２の支持床部３７に載置される前記第２の腰床部３６の上面には凹部５３が形成され、この凹部５３には厚さ方向に沿って貫通する取付け孔５４が穿設されている。
【００６７】
そして、ねじ５５を３つの前記位置決め孔５２ａ〜５２ｃのうちの１つから前記取付け孔５４に通し、この取付け孔５４から突出した端部にナット５６を螺合することで、前記第１の支持床部３２と前記第１の腰床部３４、及び前記第２の支持床部３７と前記第２の腰床部３６をそれぞれ連結固定することができるようになっている。
【００６８】
そのとき、前記ねじ５５を３つの前記位置決め孔５２ａ〜５２ｃのうちのどれに通すかによって、前記第１、第２の支持床部３２，３７と一対の腰床部３４，３６がなす長さ寸法、つまり前記第１の長さ調整床部２８の長さ寸法を、３つの前記位置決め孔５２ａ〜５２ｃのピッチに応じた間隔で設定できるようになっている。
【００６９】
図５と図６は前記ねじ５５が第１の位置決め孔５５ａに挿通されて前記第１の腰床部３４と前記第２の腰床部３６が位置決めされているから、前記第１の長さ調整床部２８は最小長さ寸法に設定されることになる。
【００７０】
前記ねじ５５を前記第２の位置決め孔５５ｂに移動させて前記第１の腰床部３４と前記第２の腰床部３６を位置決めすれば、図７に示すように前記第１の長さ調整床部２８は図６に示す長さよりも長い中間長さ寸法に設定される。
【００７１】
前記ねじ５５を前記第３の位置決め孔５５ｃに移動させて前記第１の腰床部３４と前記第２の腰床部３６を位置決めすれば、図８に示すように前記第１の長さ調整床部２８は図７に示す長さよりも長い、最大長さ寸法に設定される。
【００７２】
前記第２の長さ調整床部２９の前記第１の支持床部３２と前記第１の脚床部４７、及び前記第３の脚床部４９と前記第２の脚床部４８にも前記第１の長さ調整床部２８と同様の構成の前記第２の位置決め手段５２によって同じピッチで長さ調整できるようになっている。
【００７３】
なお、前記第２の長さ調整床部２９に設けられる前記第２の位置決め手段５２の図示及び詳細な説明は省略する。
【００７４】
前記第２の位置決め手段５２による前記床板体２５の長さ寸法の調整は、一対の第１、第２の腰床部３４，３６、及び一対の第１、第２の脚床部４７，４８をスライドさせて段階的に行うようになっており、前記第１の位置決め手段２０による前記ベッドフレーム５の長さ寸法の調整は前記ベッドフレーム５の一対の調整フレーム部１５をスライドさせて段階的に行うようになっている。
【００７５】
つまり、前記床板体２５の長さ寸法の調整は一対の前記第１、第２の腰床部３４，３６、及び一対の前記第１、第２の脚床部４７，４８のピッチＰ２（３５ｍｍ）で位置決めできる４か所で行うようになっており、前記ベッドフレーム５の長さ寸法の調整は一対の前記調整フレーム部１５のピッチＰ１（７０ｍｍ）で位置決めできる２か所で行うようになっている。
【００７６】
それによって、前記床板体２５の前記第２の位置決め手段５２によるピッチＰ２で位置決めできる４か所の長さ寸法の設定と、前記ベッドフレーム５の前記第１の位置決め手段２０によるピッチＰ１で位置決めできる２か所の長さ寸法の設定とを、それぞれ各段階ごとに行えば、前記床板体２５と前記ベッドフレーム５を同じ長さで長くしたり、短くすることができる。
【００７７】
つまり、前記第２の位置決め手段５２によって前記床板体２５の長さ寸法を変更した場合、前記ベッドフレーム５の長さ寸法も、前記床板体２５の長さ寸法の変更に応じて前記第１の位置決め手段２０によって行われる。
【００７８】
図９（ａ）〜（ｃ）は前記ベッドフレーム５と、前記床板体２５との長さ寸法を同じように変更した状態を示している。図９（ａ）は前記ベッドフレーム５と、前記床板体２５との長さ寸法を最小寸法に設定した状態を示し、同図（ｂ）は中間寸法、同図（ｃ）は最大寸法に設定した状態を示している。
【００７９】
前記ベッドフレーム５と前記床板体２５は上述したようにそれぞれ前記第１の位置決め手段２０と前記第２の位置決め手段５２によって同じ間隔で、３段階で長さを調整できるようになっている。
【００８０】
そのため、前記ベッドフレーム５と前記床板体２５を対応する長さに設定することができるから、これらの長さの変更を容易に、しかも確実に行うことが可能となる。
【００８１】
また、前記ベッドフレーム５と前記床板体２５を同じ長さ寸法で長さ調整することで、前記ベッドフレーム５の一端と他端に設けられた一対の前記ボード体２１の間隔に対し、前記床板体２５の長さ寸法が大きくなり過ぎたり、短くなり過ぎるのを防止できる。
【００８２】
このような構成のベッド装置によれば、前記ベッドフレーム５は、前記本体フレーム部１１の長手方向の一端部と他端部とにそれぞれ調整フレーム部１５を前記本体フレーム部１１の長手方向に沿って移動可能に設け、前記第１の位置決め手段２０によって３段階の位置で移動不能に固定できるようにしている。
【００８３】
そのため、前記ベッドフレーム５は一対の前記調整フレーム部１５を前記本体フレーム部１１に対してそれぞれ同じ移動量で移動させて固定することで、長さを３段階に変えることができる。
【００８４】
つまり、従来のように長さ調整するための別部品を用意しておくことなく、前記調整フレーム部１５の前記本体フレーム部１１に対する移動位置を変えることで、前記ベッドフレーム５の長さを３段階に調整することができる。
【００８５】
前記ベッドフレーム５に設けられる前記床板体２５は、この床板体２５の長さを調整することができる第１の長さ調整床部２８と、第２の長さ調整床部２９を、前記ベッドフレーム５に固定される固定床部２６の一端側と他端側とに備えている。
【００８６】
そのため、このような構成の前記床板体２５によれば、前記ベッドフレーム５と同様、長さ調整するための別部品を用意しておくことなく、前記第２の位置決め手段５２によって長さを３段階に調整することができる。
【００８７】
前記ベッドフレーム５と前記床板体２５はともに３段階に長さ調整することができる。たとえば、前記ベッドフレーム５と前記床板体２５との最も短い最小寸法、中間の中間寸法、最も長い最大寸法としれば、前記中間寸法を標準の身長の利用者に合わせることで、標準身長の利用者よりも背の低い人は前記最小寸法、背の高い人であれば前記最大寸法に設定する。それによって、身長の異なる利用者であっても快適な状態で利用することができる。
【００８８】
前記床板体２５と前記ベッドフレーム５との両者の長さを同じ状態、つまり前記床板体２５と前記ベッドフレーム５は前記第１の位置決め手段２０と前記第２の位置決め手段５２によって長手方向の一端側と他端側とを同じ長さで調整できるようにしている。
【００８９】
そのため、前記床板体２５と前記ベッドフレーム５との長さを変えても、これらの相対的な長さを変えることなく長さ調整できるため、長さ調整することによってベッド装置としての機能が損なわれるということがない。
【００９０】
つまり、前記ベッドフレーム５に対して前記床板体２５の長さが長くなり過ぎたり、短くなり過ぎるようなことなく、これらの長さを調整することができる。
【００９１】
それによって、ベッド装置が背上げ式の場合、前記床板体２５を起伏駆動するために前記ベッドフレーム５に設けられる背上げ駆動機構（図示せず）と、前記床板体２５の前記背上げ駆動機構によって起伏駆動される床板部分との位置関係がずれることが防止されるから、前記ベッド装置の背上げ機能を確実かつ良好に維持することができる。
【００９２】
前記床板体２５の前記第１の長さ調整床部２８に屈曲可能な状態で設けられた前記第１の腰床部３４と前記第２の腰床部３６、及び前記第２の長さ調整床部２９に屈曲可能に設けられた前記第１の脚床部４７と前記第２の脚床部４８は、前記床板体２５の長さを調整することで、その調整度合いに応じて前記床板体２５の長手方向に対して移動して位置決めされる。
【００９３】
つまり、利用者の身長に応じて前記床板体２５の長さを変えても、前記第１の腰床部３４と第２の腰床部３６をその利用者の腰部に対応位置させることができ、前記第１の脚床部４７と第２の脚床部４８も、これらの屈曲する部分がその利用者の脚部の膝の裏側の部分に位置させることができる。
【００９４】
そのため、前記床板体２５を背上げ駆動する場合、利用者の身長が異なる場合であっても、その身長に応じて長さ調整することで、屈曲する前記第１の腰床部３４と第２の腰床部３６が利用者の腰部を不要に圧迫したり、前記第１の脚床部４７と第２の脚床部４８が利用者の脚部の腿や脹脛の部分を不要に圧迫するのを防止することができる。
【００９５】
つまり、ベッド装置の機能を損なうことなく、前記ベッドフレーム５と前記床板体２５の長さを調整することができる。
【００９６】
前記ベッドフレーム５と前記床板体２５は、同じ間隔で、しかも同じ３段階で長さ調整できるようになっている。そのため、前記ベッドフレーム５と前記床板体２５の長さ調整を、確実に、しかも容易に同じ長さに設定することができる。
【００９７】
前記ベッドフレーム５と前記床板体２５との長さを同じ長さに設定できることで、図９（ａ）〜（ｃ）に示すように、前記ベッドフレーム５の長手方向の両端に設けられる一対のボード体２１の内面間の長さと、前記床板体２５の長手方向両端間の長さを一定に保つことができる。
【００９８】
それによって、前記床板体２５が前記ボード体２１の内面に当たって前記床板体２５を円滑に起伏駆動させることができなくなったり、前記ボード体２１の内面と前記床板体２５の両端との間に隙間が空き過ぎて外観の低下を招くなどのことを防止できる。
【００９９】
前記ベッドフレーム５は前記本体フレーム部１１と、この本体フレーム部１１の両端にそれぞれ移動可能に設けられた一対の前記調整フレーム部１５とに分割されている。
【０１００】
さらに、前記床板体２５は、前記第１の支持床部３２が屈曲可能に一体成形された２つの前記固定床部２６と、屈曲可能に一体成形された前記第１、第２の腰床部３４，３６、及び前記第１、第２の脚床部４７，４８、と、前記第２の支持床部３７及び前記第３の脚床部に分割されている。
【０１０１】
そのため、工場出荷時には前記ベッドフレーム５と前記床板体２５を上述した複数の部分毎に小さく分割して梱包搬送することができ、納入先で組み立てるときには、小さな梱包の状態のまま搬入できるから、出荷時や搬入時の取り扱いを容易かつ迅速に行うことができる。
【０１０２】
この発明は上述した実施の形態に限定されるものではなく、発明の趣旨を逸脱しない範囲で種々、変形可能である。  
【０１０３】
たとえば上述した実施の形態では前記ベッドフレーム５と前記床板体２５の両者を長さ調整できる構造を例に挙げて説明したが、前記ベッドフレーム５と前記床板体２５とのどちらか一方だけを長さ調整できる構造としてもよい。
【０１０４】
前記ベッドフレーム５と前記床板体２５のうち、前記ベッドフレーム５だけを長さ調整できる構造とした場合、前記床板体２５は、少なくとも前記ベッドフレーム５の前記本体フレーム部１１に固定される部分、一対の前記調整フレーム部１５に固定される部分とに分割しておく。  
【０１０５】
そうすることによって、前記ベッドフレーム５の長さ変更に応じて前記床板体を追従させて長さを変更することができる。
【０１０６】
前記ベッドフレーム５と前記床板体２５のうち、前記床板体２５だけを長さ調整できる構造とした場合、長さ調整時に前記床板体２５に設けられる前記第１、第２の長さ調整床部２８，２９の可動部分が前記ベッドフレーム５上で円滑にスライドして長さを変えることができる構造にすればよい。
【０１０７】
その場合、前記ベッドフレーム５の長手方向の両端に設けられる一対のボード体２１が邪魔になる虞があるから、前記ボード体２１を除去したり、ボード体２１が必要な場合には前記床板体２５の前記第１、第２の長さ調整床部２８，２９の端部に前記ボード体２１を設けることで対応することができる。
【０１０８】
前記床板体２５の前記第１の長さ調整床部２８には、前記第１の腰床部３４と第２の腰床部３６を屈曲可能に連結して設けたが、腰床部の数は２つに限定されず、３つ以上であっても差し支えない。  
【０１０９】
同様に、前記第２の長さ調整床部２９に屈曲可能に連結して設けられる脚床部の数も２つ或いは３つ以上であってもよい。
【０１１０】
さらに、前記第１の長さ調整床部２８と前記第２の長さ調整床部２９は、屈曲可能に連結された複数の前記腰床部や複数の脚床部に代えて、屈曲可能な蛇腹状の１つの板状部材を用いるようにしてもよい。
【符号の説明】
【０１１１】
１１…本体フレーム部、１２…第１の側辺部、１３…第１の端辺部、１５…調整フレーム部、１６…第２の端辺部、１７…第２の側辺部、２０…第１の位置決め手段、２１…ボード体、２５…床板体、２６…固定床部、２８…第１の長さ調整部、２９…第２の長さ調整部、３２…第１の支持床部、３３，３８…載置段部、３４…第１の腰床部、３６…第２の腰床部、３７…第２の支持床部、４２…背床部、４３…中央背部、４４…側部背部、４７…第１の脚床部、４８…第２の脚床部、４９…第３の脚床部、５２…第２の位置決め手段。
【図１】
2020065634.tif 000003
【図２】
2020065634.tif 000004
【図３】
2020065634.tif 000005
【図４】
2020065634.tif 000006
【図５】
2020065634.tif 000007
【図６】
2020065634.tif 000008
【図７】
2020065634.tif 000009
【図８】
2020065634.tif 000010
【図９】
2020065634.tif 000011